(57)【要約】【課題】  他の機器と接続する為に電子機器のキャビネット正面、背面又は側面等に設けているジャックをアースする金具であって、キャビネットパネルが樹脂製であってもアースすることが出来るジャック用アース金具の提供。【解決手段】  正面板１にはジャック筒部９ａ，９ｂ，９ｃが嵌るジャック穴２ａ、２ｂ、２ｃを貫通して設けると共に、ジャック８ａ，８ｂ，８ｃの一部に接することが出来る接触片３ａ，３ｂ，３ｃを形成し、そして正面板１の下縁からはアース接続部５を延ばし、アース接続部５には先端から切り込んだ切欠き部１７を形成している。【選択図】    図１
2005243475.tif 000002
【特許請求の範囲】
【請求項１】
他の機器と接続する為に電子機器のキャビネット正面、背面又は側面等に設けているジャックをアースする金具において、正面板にはジャック筒部が嵌るジャック穴を貫通して設けると共に、ジャックの一部に接することが出来る接触片を形成し、そして正面板の下縁からはアース接続部を延ばし、アース接続部には先端から切り込んだ切欠き部を形成したことを特徴とするジャック用アース金具。
【請求項２】
上記接触片として、ジャック穴の少なくとも上方又は下方には切欠き部を形成し、該切欠き部底から細長く延ばすと共に、ジャック穴に嵌るジャック筒部に撓み変形して接触するようにジャック穴の内周より内側へ突出して形成した請求項１記載のジャック用アース金具。
【請求項３】
上記接触片として、正面板の上縁から後方へ延ばすと共にジャック本体の一部を切欠いた接触部に接触する接触凸部を設けた請求項１記載のジャック用アース金具。
【請求項４】
上記正面板の下縁から繋ぎ部を延ばし、該繋ぎ部の先端にアース接続部を形成した請求項１、請求項２、又は請求項３記載のジャック用アース金具。
【請求項５】
他の機器と接続する為に電子機器のキャビネット正面、背面又は側面等に設けているジャックをアースする金具を備えた電気機器において、アース金具の正面板に貫通して設けたジャック穴にジャック筒部を嵌め、ジャックの一部にはアース金具に設けた接触片を接触し、そして正面板の下縁から後方に設けたアース接続部をキャビネットに設けた底部に配置すると共に該底部から突出したリブを先端から切り込んだ切欠き部に嵌め、両側のアーム先端側はリブ上面より下げると共にアース接続部の基部はリブ上面に載置し、キャビネットと組合されたシャーシをアース接続部の基部面に載せたことを特徴とする電気機器。
【請求項６】
上記正面板の下縁から繋ぎ部を延ばし、該繋ぎ部の先端にアース接続部を形成した請求項５記載の電気機器。
【請求項７】
シャーシ先端部を概略Ｌ形に屈曲して立ち上げ、そして概略Ｌ形をした先端をアース金具の繋ぎ部に接触させた請求項６記載の電気機器。
【発明の詳細な説明】
【技術分野】
【０００１】
本発明は電子機器のキャビネットに形成した穴からプラグを接続することが出来るようにしたジャックのアース金具及び該アース金具を備えた電気機器に関するものである。
【背景技術】
【０００２】
図１１に示すように、電子機器のフロントパネル又はリヤパネルには外部の電子機器との接続を行う為のジャックが備わっている。同図の(ａ)はフロントパネルにジャックを設けている場合、(ｂ)はリヤパネルにジャックを設けている場合を示している。フロントパネルに設ける場合には、映像入力ジャック(ヌ)、音声入力ジャック用左右ジャック(ル)、(オ)、Ｓ端子用ジャック(ワ)が取付けられている。
【０００３】
一方、リヤパネルに設ける場合には、映像入力ジャック(ヌ)、音声入力ジャック用左右ジャック(ル)、(オ)、Ｓ端子用ジャック(ワ)、及びアンテナ用入出力ジャック(カ)、(ヨ)が夫々設けられている。電磁波の障害対策として該ジャックはアースされている。このアース構造には色々あるが、一般的な構造としてはジャックハウジング筒部の外周に金具を嵌合し、該金具を介してリヤパネルと接続させた構造と成っている。
【０００４】
特開平１０−２３３５９１号に係る「筐体のシールド構造」は、強度的に強く、隙間が生じにくくてシールド効果を高めることが出来ると共に、外部から隙間が見えず、且つコネクタへの接触を確実に行うことが出来る筐体のシールド構造であり、パソコン等の電子機器、電気機器における筐体のシールド構造において、コネクタ部に装着するシールド板を薄板で形成してこの薄板を二重折りにし、この薄板の上下端部の一部を切り起こして接触端子を形成し、この接触端子を上下の筐体に接触させ、さらに筐体内に配設された回路基板にグランド端子を設け、この薄板のグランド端子に対応する箇所を内向きに切り起こして接続端子を形成し、この接続端子をグランド端子に接触させるようにしている。
【０００５】
実用新案登録第３０９５０００号に係る「ＲＣＡジャックとリヤパネルとの電波漏れ防止構造」は、Ｃリング等を必要とせず簡単な構造で部品点数を削減でき、取付け作業が簡単で、コストダウンを図ることが出来るようにしたもので、ジャック本体の上面に突設した外壁がグランド端子の筒状部と筒状部の対応箇所に穿設した貫通孔を有す導電性のリヤパネルとを備え、グランド端子とリヤパネルを接触してグランドを取り、ＲＣＡジャックの電波漏れを防ぎジャック本体に雌ネジ孔を設けてリヤパネルに雌ネジ孔の対応箇所にネジ挿入孔を穿設し、ビスをリヤパネルのネジ挿入孔に通してジャック本体の雌ネジ孔に螺入し、リヤパネルをジャック本体に取付固定し、ジャック本体の上面にグランド端子に接続した金属片を設け、リヤパネルに小凸部を設けてリヤパネルの複数の貫通孔にジャック本体の上面の筒状部を挿通し、ジャック本体の上面の小凸部を金属片に接触してグランドを取りビスは小凸部の近傍で接続している。
【０００６】
上記実用新案登録第３０９５０００号に係る「ＲＣＡジャックとリヤパネルとの電波漏れ防止構造」は図１２に示すように、ジャックにグランド端子に接続したアース金具(イ)を設け、端子パネル(ニ)にはツメ(チ)を設けている。そして、ジャックを端子パネル(ニ)にビス締めすると、端子パネル(ニ)のツメ(チ)がジャックのアース金具に接する構造と成っている。しかし、このアース構造では端子パネル(ニ)にツメ(チ)を設けなくてはならない。
【０００７】
上記アース金具(イ)を用いることで、ジャックは端子パネル(ニ)と接触してアースされているが、上記端子パネル(ニ)が樹脂製パネルのように導電性のパネルでない場合にはアースをとることは出来ない。一般に電気機器のキャビネットのリヤパネルは金属製パネルとすることが多いが、フロントパネルはそのデザイン上樹脂製パネルが使用される。従って、正面側にジャックを設ける場合には上記アース構造では問題がある。
【０００８】
又、ツメ(チ)が端子パネル(ニ)に接触しなくてはならないが、該ツメ(チ)のバネ性が低い場合や端子パネル(ニ)とアース金具(イ)間の隙間が大きくなる場合には接触不良を起こしてアースすることが出来なくなる。
【特許文献１】特開平１０−２３３５９１号に係る「筐体のシールド構造」
【特許文献３】実用新案登録第３０９５０００号に係る「ＲＣＡジャックとリヤパネルとの電波漏れ防止構造」
【発明の開示】
【発明が解決しようとする課題】
【０００９】
このように、従来の電気機器のアース構造には上記のごとき問題がある。本発明が解決しようとする課題はこの問題点であり、樹脂製のパネルにジャックの筒部が嵌っている場合であってもアースすることが出来るジャック用アース金具及びアース金具を備えた電気機器を提供する。
【課題を解決するための手段】
【００１０】
本発明に係るアース金具は、金属製の正面板にジャック筒部が嵌る複数のジャック穴を形成し、ジャック筒部とジャック穴との隙間を小さくしてシールド効果を向上している。そして上記正面板の下縁側にはアース接続部を設け、該アース接続部には切欠き部を形成している。切欠き部は先端から切欠かれて両側にはアームが形成される。
【００１１】
一方、キャビネットに設けた底部にはリブが突出し、アース金具のアース接続部に形成した切欠き部に該リブが嵌るように取付けられる。そしてシャーシを取付けるならば、アース接続部はキャビネット底部とシャーシとの間に挟まれてアースされる。
【発明の効果】
【００１２】
本発明に係るアース金具はその正面板にジャック筒部が嵌るジャック穴を形成し、該ジャック穴はジャック筒部が嵌入して大きな隙間を残さないようにしている為に、電磁波の侵入を防止して高いシールド効果を得ることが出来る。ここで、該キャビネットパネルが樹脂等の非導電性材質であっても、そのアース金具にアース接続部を設けてシャーシに接続させることでアースすることが出来る。
【００１３】
そして、上記アース接続部には切欠き部が形成され、キャビネット底部に突出して設けたリブが切欠き部に嵌った状態でシャーシはキャビネットと組み付けられる。従って、シャーシは突出したリブに載って組み合わされるが、該リブの上面に載置されるアース接続部はシャーシに必ず接触することになり、接触不良を引き起こすことはない。
【実施例】
【００１４】
図１は本発明に係るアース金具を示す実施例であり、(ａ)は正面側斜視図、(ｂ)は背面側斜視図をそれぞれ表している。該アース金具は薄い導電性の金属板を切断・曲げ成形して製作したものであり、正面板１にはジャック筒部が嵌るジャック穴２ａ，２ｂ，２ｃを貫通して設け、正面板１の上縁であってジャック穴２ａ，２ｂ，２ｃの位置には接触片３ａ，３ｂ，３ｃを後方へ延ばしている。そして、各接触片３ａ，３ｂ，３ｃには下方へ突出する接触凸部４ａ，４ｂ，４ｃを有し、又正面板１の下側にはアース接続部５を設けている。
【００１５】
上記接触片３ａ，３ｂ，３ｃは両側と中央に設けているが、両側の接触片３ａ，３ｃには外方向へ突出する係止片６ａ，６ｃを形成している。図２は基板７に取着されているジャック８ａ，８ｂ，８ｃであり、該ジャック８ａ，８ｂ，８ｃは金属製ジャック筒部９ａ，９ｂ，９ｃと樹脂製のジャック本体１０ａ，１０ｂ，１０ｃから成り、ジャック本体１０ａ，１０ｂ，１０ｃはジャック筒部９ａ，９ｂ，９ｃの基部側を被覆し、ジャック本体１０ａ，１０ｂ，１０ｃの中央を切欠いて金属製の接触部１１ａ，１１ｂ，１１ｃを有し、接触部１１ａ，１１ｂ，１１ｃは上記ジャック筒部９ａ，９ｂ，９ｃと接続している。
【００１６】
そして、樹脂製のジャック本体１０ａ，１０ｂ，１０ｃの上面の両コーナーには係止部１２ａ，１２ａ，１２ｂ，１２ｂ・・を突出していて、このジャック８ａ，８ｂ，８ｃに上記図１に示した本発明のアース金具が取付けられ、正面板１及び接触片３ａ，３ｂ，３ｃにて電磁波を遮蔽すると共に、シャーシへ導く為にアースされる。
【００１７】
図３はフロントキャビネットＡとアース金具Ｂ、及びジャック８ａ，８ｂ，８ｃが取付けられた基板７を示した展開図である。フロントキャビネットＡにはジャック挿入穴１３ａ，１３ｂ，１３ｃが貫通して設けられ、このジャック挿入穴１３ａ，１３ｂ，１３ｃに組み付けられるジャック８ａ，８ｂ，８ｃが挿入されて先端部はフロントパネルＡから突出する。アース金具Ｂは前記図１示したものであり、基板７に取付けられているジャック８ａ，８ｂ，８ｃは図２に示したものである。
【００１８】
このジャック８ａ，８ｂ，８ｃにアース金具Ｂが取付けられ、そして基板７をフロントパネルＡの内側に取着すると共に各ジャック８ａ，８ｂ，８ｃの先端部はジャック挿入穴１３ａ，１３ｂ，１３ｃから突出することが出来、しかもアース金具Ｂを介して電磁波は遮蔽されると共にシャーシにアースされる構造となる。フロントキャビネットＡの下側には底部１４を後方へ延ばし、該底部１４の上面には細長いリブ１５を突出して設けている。
【００１９】
図４はジャック８ａ，８ｂ，８ｃに本発明のアース金Ｂを取付けた場合の平面図である。正面板１に設けているジャック穴２ａ，２ｂ，２ｃにジャック筒部９ａ，９ｂ，９ｃが嵌入するように取付けられることになるが、両係止片６ａ，６ｃはジャック本体１０ａ，１０ｃに突出して設けている係止部１２ａ，１２ｃに係止して外れることはなく、しかも接触片３ａ，３ｂ，３ｃに形成した接触凸部４ａ，４ｂ，４ｃは接触部１１ａ，１１ｂ，１１ｃに安定して接することが出来る。
【００２０】
図５はジャック８にアース金具Ｂを取付け、基板７をフロントキャビネットＡに取付けた場合の断面図を示しているように、アース金具の接触片３には接触凸部４が設けられ、この接触凸部４はジャック本体１０の一部を切欠いて設けた接触部１１に接触することが出来る。すなわち、アース金具の接触片３は薄くて撓み変形可能なバネ性があって、ジャック筒部９がジャック穴２に嵌って取付けられることで、該接触凸部４は接触部１１に接し、離れることはない。
【００２１】
そして、正面板１から後方へは繋ぎ部１９を延ばし、繋ぎ部１９の先端にはアース接続部５を形成し、該アース接続部５はシャーシ１６に接続してアースされる。ところで、アース接続部５は図１に示しているように、先端中央から切欠かれた切欠き部１７を形成し、両側にはアーム１８，１８を延ばしている。アース接続部５は途中で屈曲した形状と成っていて、該切欠き部１７は屈曲部２０付近まで達している。
【００２２】
ところで、フロントキャビネットＡにジャックと共に取付けられたアース金具Ｂは、該アース接続部５が底部１４に載り、該底部１４に突出して設けているリブ１５はアース接続部５に形成している切欠き部１７に嵌ることが出来る。図６は切欠き部１７にリブ１５が嵌ってアース接続部５をフロントキャビネット底部１４に配置した場合を示している。
【００２３】
リブ１５は切欠き部１７に嵌り、両アーム１８，１８はリブ１５の両側に位置し、アーム１８，１８が傾斜していることで先端側はリブ１５の上面２２より下がっている。そして、アース接続部５の基部２１はリブ１５の上面２２に載っている。このように取付けられたアース接続部５にシャーシ１６が図５に示すように取付けられるが、両アーム１８，１８の先端がリブ１５の上面２２より下がっている為に、シャーシ１６を取付けるに際して先端がアース接続部５の上にスムーズに乗り上がることが出来る。
【００２４】
図７はシャーシ１６が取付けられた場合の断面図を示している。実施例では図５に示すように説明の都合上シャーシ１６をフロントキャビネットＡに取付けるように成っているが、実際の組立作業では、シャーシ１６にフロントキャビネットＡを組み付けるようになる。このようにシャーシ１６の先端はアース金具Ｂのアース接続部５の上に載ることで接触不良を招くことはなく、確実にアースされる。図８は接続状態の部分拡大図を示している。
【００２５】
シャーシ１６の先端部はＬ型に屈曲して立ち上がり、先端２３は傾斜している繋ぎ部１９に接している。すなわち、シャーシ１６はアース接続部５の基部２１と繋ぎ部１９との２点で接触が行われる為に、アース金具Ｂにおけるアースの信頼性は非常に高くなる。
【００２６】
ところで、本発明のアース金具Ｂはアース接続部５を備えた点に特徴を有すものであり、ジャック８との接続形態は実施例で示して場合に限定しない。すなわち、接触凸部４を設けた接触片３を後方へ延ばして、ジャック本体１０の一部を切欠いて形成した接触部１１に接触させる場合に限るものではない。
【００２７】
図９は本発明に係るアース金具を示す他の実施例であり、ジャック８に接続する別の接触形態を備えて構成している。該アース金具Ｂは概略四角形の正面板１と両アーム２４，２４を後方へ延ばし、アーム先端には係止片２５，２５を下方へ突出して形成している。そして正面板１の下方にはアース接続部２６を設けている。アース接続部２６の形態は図１に示すように切欠き部を設け、両側にはアームを備えている。そして、正面板１にはジャック穴２ａ，２ｂ，２ｃ、及びＳ端子用ジャックのジャック穴２７が設けられている。そして、これらジャック穴２ａ，２ｂ，２ｃの上下には接触片２８ａ，２８ａ，２８ｂ，２８ｂ，２８ｃ，２８ｃが形成されている。
【００２８】
図１０はジャック穴２ａ，２ｂ，２ｃの拡大図を表している。各ジャック穴２ａ，２ｂ，２ｃはピッチＰを有して配列され、ジャック穴２ａ，２ｂ，２ｃの上方及び下方には切欠き部２９ａ，２９ａ，２９ｂ、２９ｂ、２９ｃ、２９ｃを形成し、該切欠き部２９ａ，２９ａ，２９ｂ，２９ｂ，２９ｃ，２９ｃの底から接触片２８ａ，２８ａ，２８ｂ，２８ｂ，２８ｃ，２８ｃがジャック穴２ａ，２ｂ，２ｃの中心側へ延びている。そして、接触片２８ａ，２８ａ，２８ｂ，２８ｂ，２８ｃ，２８ｃの先端は円形のジャック穴２ａ、２ｂ、２ｃの内周３０ａ，３０ｂ，３０ｃより内側へ突出し、該ジャック穴２ａ，２ｂ，２ｃに嵌るジャック筒部９ａ，９ｂ，９ｃの外周面に撓み変形して接することが出来る。
【００２９】
上記接触片２８ａ，２８ａ，２８ｂ，２８ｂ，２８ｃ，２８ｃは切欠き部２９ａ，２９ａ，２９ｂ，２９ｂ，２９ｃ，２９ｃの底から延びている為にその長さＬは長く成り、ジャック穴２ａ，２ｂ，２ｃに嵌るジャック筒部９ａ，９ｂ，９ｃに接触する際には撓み変形し、接触不良となることはない。すなわち、細くて長い接触片２８ａ，２８ａ，２８ｂ，２８ｂ，２８ｃ，２８ｃは、嵌るジャック筒部９ａ，９ｂ，９ｃの太さに応じて自由に撓み変形して接触することが可能である。そして、切欠き部２９ａ，２９ａ，２９ｂ，２９ｂ，２９ｃ，２９ｃの方向を上方と下方に設けることで、各ジャック穴２ａ，２ｂ，２ｃ間ピッチＰは小さく成り、ひいてはジャック８ａ，８ｂ，８ｃを小さなピッチＰにて配列可能となる。
【００３０】
一方、Ｓ端子用ジャックのジャック穴２７は上記ジャック穴２ａ，２ｂ，２ｃに比較して大きく、しかも接触片３は下側に設けられている。該接触片３１の場合、下方へ大きく切込んだ切欠き部ではない為に、後方へ屈曲してジャック筒部に接触し易くしている。
【図面の簡単な説明】
【００３１】
【図１】本発明に係るアース金具を示す実施例。
【図２】基板に取付けたジャック。
【図３】フロントキャビネット、アース金具、及びジャックを取付けた基板の展開図。
【図４】ジャックにアース金具を取付けた場合の平面図。
【図５】アース金具を取付けたフロントキャビネットにシャーシを組み付ける場合。
【図６】本発明のアース金具のアース接続部が底部のリブに嵌って取付けられた場合。
【図７】アース金具を取付けたフロントキャビネットにシャーシを組み付けた場合。
【図８】アース金具のアース接続部とシャーシとの接続状態を示す拡大図。
【図９】アース金具の別形態。
【図１０】ジャック穴の拡大図。
【図１１】ジャック端子を備えた電気機器。
【図１２】従来の電気機器におけるアース構造。
【符号の説明】
【００３２】
１  正面板
２  ジャック穴
３  接触片
４  接触凸部
５  アース接続部
６  係止片
７  基板
８  ジャック
９  ジャック筒部
10  ジャック本体
11  接触部
12  係止部
13  ジャック挿入穴
14  底部
15  リブ
16  シャーシ
17  切欠き部
18  アーム
19  繋ぎ部
20  屈曲部
21  基部
22  上面
23  先端
24  アーム
25  係止片
26  アース接続部
27  ジャック穴
28  接触片
29  切欠き部
30  内周
31  接触片
【図１】
2005243475.tif 000003
【図２】
2005243475.tif 000004
【図３】
2005243475.tif 000005
【図４】
2005243475.tif 000006
【図５】
2005243475.tif 000007
【図６】
2005243475.tif 000008
【図７】
2005243475.tif 000009
【図８】
2005243475.tif 000010
【図９】
2005243475.tif 000011
【図１０】
2005243475.tif 000012
【図１１】
2005243475.tif 000013
【図１２】
2005243475.tif 000014